【事件の表示】
　特願２００１−３８８２６７「磁気共鳴イメージング装置」拒絶査定不服審判事件〔平成１４年　９月　３日出願公開、特開２００２−２４８０９２〕について、次のとおり審決する。
【結　論】
　本件審判の請求は、成り立たない。
【理　由】
１．手続の経緯
　本願は，平成１３年１２月２０日（優先権主張平成１２年１２月２２日）の出願であって，平成１８年１２月１１日付けの最後の拒絶理由通知に対して，平成１９年２月１３日付けで手続補正がされたが，同年３月１日付けで補正の却下の決定及び拒絶査定がされ，これに対し，同年４月１２日に拒絶査定不服審判の請求がされるとともに，同年５月１４日付けで手続補正がされたものである。
　
２．平成１９年５月１４日付けの手続補正についての補正の却下の決定
　
　［補正却下の決定の結論］
　　平成１９年５月１４日付けの手続補正を却下する。
　
　［理由］
２−１．補正後の本願発明
　平成１９年５月１４日付けの手続補正（以下，「本件補正」という。）は，特許請求の範囲を補正するものであって，そのうち請求項１についてする補正は，補正前（平成１８年１１月１０日付け手続補正書。以下同様）の特許請求の範囲の
「【請求項１】　被検体の撮像領域に対してオフ・レゾナンスとなる周波数のＭＴパルスを当該被検体に印加するＭＴパルス印加手段と、前記ＭＴパルスを印加した後に傾斜磁場スポイラーパルスを印加するスポイラ印加手段と、このスポイラーパルスを印加した後に前記撮像領域からエコー信号を収集するスキャンを行うスキャン手段とを備え、
　前記ＭＴパルスの印加時間を、前記被検体内の磁化スピンの縦磁化が当該印加時間中には殆ど緩和しない程度に短く設定したことを特徴とする磁気共鳴イメージング装置。」
を，
「【請求項１】　被検体の撮像領域に対してオフ・レゾナンスとなる周波数のＭＴパルスを当該被検体に印加するＭＴパルス印加手段と、前記ＭＴパルスを印加した後に傾斜磁場スポイラーパルスを印加するスポイラ印加手段と、このスポイラーパルスを印加した後に前記撮像領域からエコー信号を収集するスキャンを行うスキャン手段
とから、パルスシーケンス情報に従ってシーケンス制御するシーケンサ
　
前記シーケンサは、印加時間の短いＭＴパルスと、スポイラーパルスと、撮像用パルス列とを順次並べて形成され、
　
前記ＭＴパルスの印加時間が、１０［ｍｓｅｃ］未満であり、前記ＭＴパルスは撮像用印加パルスの前に印加されるとともに、前記ＭＴパルスの印加領域は撮像領域とは異なるように構成した
と補正するものである。
　
　上記補正は，補正前の「磁気共鳴イメージング装置」を，「
パルスシーケンス情報に従ってシーケンス制御するシーケンサ
　
前記シーケンサは、印加時間の短いＭＴパルスと、スポイラーパルスと、撮像用パルス列とを順次並べて形成され
前記ＭＴパルスの印加領域は撮像領域とは異なるように構成した
前記ＭＴパルスの印加時間が、１０［ｍｓｅｃ］未満であり、前記ＭＴパルスは撮像用印加パルスの前に印加される
　
　そこで，本願補正発明が特許出願の際独立して特許を受けることができるものであるか（平成１８年改正前の特許法第１７条の２第５項において準用する同法第１２６条第５項の規定に適合するか）について検討する。
　
２−２．引用例
２−２−１．引用例１
　原査定の拒絶の理由に引用した，本願出願日前に頒布された刊行物である，特開平１１−３１３８１０号公報（以下「引用例１」という。）には，図面とともに，次の事項が記載されている（下線は，当審にて付加した）。
　
（ａ）「【０００１】
【発明の属する技術分野】本発明は、被検体の原子核スピンの磁気共鳴現象に基づいて被検体内部の血流像や実質部の画像を得るＭＲＩ装置およびＭＲイメージング方法に関する。とくに、ＭＴ（magnetization transfer）パルスを利用して血液（または血流）と実質部のコントラストを改善した画像を得るＭＲＩ装置およびＭＲイメージング方法に関する。」
　
（ｂ）「【００１４】
【課題を解決するための手段】上記目的を達成させるため、
本発明のＭＲＩ装置は、被検体の撮像領域のＭＲ像を得るＭＲＩ装置であり、前記撮像領域を規定する周波数とは異なる周波数のＭＴパルスを印加するＭＴパルス印加手段と、前記ＭＴパルスを印加した後に傾斜磁場スポイラーパルスを印加するスポイラ印加手段とを備えた
【００１５】一例として、
前記傾斜磁場スポイラーパルスを印加した後にデータ収集シーケンスに基づいたスキャンを実行して前記撮像領域からＭＲ信号を収集する撮像手段を備える
　
（ｃ）「【００３５】［第１の実施形態］第１の実施形態を図１〜図６に基づき説明する。
【００３６】この実施形態にかかるＭＲＩ（磁気共鳴イメージング）装置の概略構成を図１に示す。
【００３７】この
ＭＲＩ装置は
静磁場に位置情報を付加するための傾斜磁場発生部と、高周波信号を送受信する送受信部と、システム全体のコントロール及び画像再構成を担う制御・演算部と
を備えている
【００３８】静磁場発生部は、例えば超電導方式の磁石１と、この磁石１に電流を供給する静磁場電源２とを備え、被検体Ｐが遊挿される円筒状の開口部（診断用空間）の軸方向（Ｚ軸方向）に静磁場Ｈ０を発生させる。なお、この磁石部にはシムコイル１４が設けられている。このシムコイル１４には、後述するホスト計算機の制御下で、シムコイル電源１５から静磁場均一化のための電流が供給される。寝台部は、被検体Ｐを載せた天板を磁石１の開口部に退避可能に挿入できる。
【００３９】傾斜磁場発生部は、磁石１に組み込まれた傾斜磁場コイルユニット３を備える。この傾斜磁場コイルユニット３は、互いに直交する、ガントリの物理軸としてのＸ、Ｙ、Ｚ軸方向の傾斜磁場を発生させるための３組（種類）のｘ，ｙ，ｚコイル３ｘ〜３ｚを備える。
傾斜磁場部はさらに、ｘ，ｙ，ｚコイル３ｘ〜３ｚに電流を供給する傾斜磁場電源４を備える。この傾斜磁場電源４は、後述するシーケンサ５の制御のもと、ｘ，ｙ，ｚコイル３ｘ〜３ｚに傾斜磁場を発生させるためのパルス電流を供給する
【００４０】傾斜磁場電源４からｘ，ｙ，ｚコイル３ｘ〜３ｚに供給されるパルス電流の制御することにより、物理軸であるＸ，Ｙ，Ｚ方向の傾斜磁場を合成して、スライス方向傾斜磁場ＧＳ、位相エンコード方向傾斜磁場ＧＥ、および読出し方向（周波数エンコード方向）傾斜磁場ＧＲを任意に設定・変更することができる。スライス方向、位相エンコード方向、および読出し方向は互いに直交する論理軸方向であり、この各方向の傾斜磁場は、静磁場Ｈ０に重畳される。
【００４１】
送受信部は、磁石１内の撮影空間にて被検体Ｐの近傍に配設されるＲＦコイル７と、このコイル７に接続された送信器８Ｔ及び受信器８Ｒとを備える。この送信器８Ｔ及び受信器８Ｒは、後述するシーケンサ５の制御のもとで動作する。送信器８Ｔは、磁気共鳴（ＭＲ）を起こさせるためのラーモア周波数のＲＦ電流パルスをＲＦコイル７に供給する
【００４２】さらに、
制御・演算部は、シーケンサ（シーケンスコントローラとも呼ばれる）５
を備える
【００４３】この内、ホスト計算機６は、記憶したソフトウエア手順により、シーケンサ５にパルスシーケンス情報を指令するとともに、装置全体の動作を統括する機能を有する。
【００４４】
シーケンサ５は、ＣＰＵおよびメモリを備えており、ホスト計算機６から送られてきたパルスシーケンス情報を記憶し、この情報にしたがって傾斜磁場電源４、送信器８Ｔ、受信機８Ｒの動作を制御する
【００４５】ここで、
パルスシーケンス情報とは、一連のパルスシーケンスにしたがって傾斜磁場電源４、送信器８Ｔおよび受信器８Ｒを動作させるために必要な全ての情報
【００４６】このパルスシーケンスとしては、２次元スキャンまたは３次元スキャンのものであってもよいし、またそのパルス列の形態としては、ＳＥ（スピンエコー）法、ＦＥ（フィールド・グラジェントエコー）法、ＦＳＥ（fast  ＳＥ）法、ＦＡＳＥ（高速Asymmetric ＳＥ）法など、どのようなパルス列であってもよい。
【００４７】
このＭＲＩ装置では
シーケンサ５の駆動によって、ＭＴパルスとしてのＲＦパルスと論理軸方向（スライス方向、位相エンコード方向、読出し方向の内の任意方向）に印加する傾斜磁場スポイラとを含む事前シーケンスが、データ収集シーケンス（本シーケンスとも呼ばれる）に先立って印加される
【００４８】この
ＭＴパルスはスライス選択により印加されるように設定されている
各ＭＴパルスの印加と並行してスライス用傾斜磁場Ｇ
Ｓ
 が印加される
【００４９】この
ＭＴパルスおよびスライス用傾斜磁場Ｇ
Ｓ
のｎ組を順次印加した後で、スライス方向、位相エンコード方向、および読出し方向においてスピン位相ディフェーズ用の傾斜磁場スポイラーパルスが同時に印加される
．．．（途中略）．．．
【００５４】続いて、本実施形態のＭＲＩ装置の動作を図２〜図６に基づき説明する。
【００５５】
本実施形態のＭＲＩ装置では、図２に示すＭＲアンギオグラフィ用のパルスシーケンスがシーケンサ５からの指令に基づき実行される
【００５６】
このパルスシーケンスは、同図に示す如く、各回のＲＦ励起において最初に実行する事前シーケンスＳＱ
ｐｒｅ
と、これに続いて実行されるデータ収集シーケンスＳＱ
ａｃｑ
とから成る
【００５７】
事前シーケンスＳＱ
ｐｒｅ
は、ＭＴ効果を生じさせるＭＴパルス列Ｐ
ＭＴ
と、このＭＴパルス列Ｐ
ＭＴ
の印加後に印加する傾斜磁場スポイラーパルスＳＰ
Ｓ
,ＳＰ
Ｒ
,ＳＰ
Ｅ
とを含む。ＭＴパルス列Ｐ
ＭＴ
は、ＭＴパルスとして順次印加する複数個の励起用のＲＦパルスＰ
1
 ，Ｐ
2
 ，Ｐ
3
 ，…，Ｐ
n
 と、これらのＭＴパルスと並行して印加するスライス用傾斜磁場パルスＧ
Ｓ
とから成る
【００５８】
スライス用傾斜磁場パルスＧ
Ｓ
 の印加強度＝Ｇ
Ｓ１
は、この磁場に拠るスライス選択面が、図３（ａ）または（ｂ）に例示する如く、撮像面Ｓ
ｉｍａ
とは異なるギャップレスまたはギャップ有りの位置になるように設定されている
．．．（途中略）．．．
【００６７】診断部位を例えば図３（ａ）に示す如く下肢とすると、
スライス用傾斜磁場Ｇ
Ｓ
＝Ｇ
Ｓ１
の例えば強度を適宜に設定することで、所望の撮影面Ｓ
ｉｍａ
 の動脈流入側のほぼ隣接した所定厚さの平行な事前励起面Ｓ
ｍｔ
が設定される。この結果、事前励起面Ｓ
ｍｔ
にｎ個に分割されたＭＴパルスが一定時間Δｔ毎に順次印加されることになる
【００６８】なお、スライス用傾斜磁場ＧＳの例えば強度を調節することで、事前励起面Ｓｍｔを撮影面Ｓｉｍａの動脈流出側、すなわち静脈流入側に設定することができる。また、撮影面Ｓｉｍａと事前励起面Ｓｍｔとの間に必要に応じてギャップを設けてもよいし、ギャップレスの状態に設定してもよい。
【００６９】さらに事前シーケンスＳＱｐｒｅにおいて、上記分割化ＭＴパルスを印加した直後に、スライス方向、読出し方向、および位相エンコード方向のそれぞれに、傾斜磁場スポイラーパルスＳＰＳ ，ＳＰＲ ，およびＳＰＥをそれぞれ印加する。
【００７０】このようにして、
最初に、事前励起面Ｓ
ｍｔ
が複数個の分割化ＭＴパルス、すなわち従来法に拠るＭＴパルスよりも小さいフリップ角度および短い印加時間のＭＴパルスにより、複数回、順次、選択励起される。これにより事前励起面Ｓ
ｍｔ
内のスピンが励起されるとともに、この励起は撮像面Ｓ
ｉｍａ
に対してはoff-resonanceであるため、後述する如くの本発明独特のＭＴ効果を撮像面Ｓ
ｉｍａ
に もたらす。この複数個の分割化ＭＴパルスの励起によって横磁化に残っているスピンは、その後のスポイラーパルスＳＰ
Ｓ
 ，ＳＰ
Ｒ
，およびＳＰ
Ｅ
によって十分に分散される
【００７１】
その後、データ収集シーケンスＳＱ
ａｃｑ
に入り、一例としてのＦＳＥ法に基づくスキャンが撮像面Ｓ
ｉｍａ
に対してシーケンサ５から指令される。このシーケンスにより、スライス用傾斜磁場Ｇ
Ｓ
＝Ｇ
Ｓ２
（≠Ｇ
Ｓ１
）が設定されているので、撮像面Ｓ
ｉｍａ
 は所望スライス位置に設定される
【００７２】被検体Ｐからの収集されたエコーデータは、受信器８Ｒでデジタルデータに処理され、演算ユニット１０に順次格納される。演算ユニット１０はホスト計算機６からの再構成指令に応答して、２次元フーリエ空間上に配置したエコーデータの組を２次元フーリエ変換して撮像面ＳｉｍａのＭＲＡ像が再構成される。」
　
（ｄ）「【００９８】また、
複数個の分割化ＭＴパルスを印加する別の例
この手法は、スライス方向、読出し方向、および位相エンコード方向のいずれにも傾斜磁場パルスを印加することなく、分割化ＭＴパルスを単独で印加し
分割化ＭＴパルスはスライス非選択的に印加される。これにより、分割化ＭＴパルスは広い範囲の領域に有効に掛けられ、スライスやスラブに限定されない
　
　以上の記載を総合すると，引用例１には，「撮像領域を規定する周波数とは異なる周波数のＭＴパルスを印加するＭＴパルス印加手段と，前記ＭＴパルスを印加した後に傾斜磁場スポイラーパルスを印加するスポイラ印加手段と，傾斜磁場スポイラーパルスを印加した後にデータ収集シーケンスに基づいたスキャンを実行して前記撮像領域からＭＲ信号を収集する撮像手段と，パルスシーケンス情報にしたがって動作を制御するシーケンサを備え，
　シーケンサの駆動によって，ＭＴパルスとしてのＲＦパルスと傾斜磁場スポイラとを含む事前シーケンスが，データ収集シーケンスに先立って印加され，
　ＭＴパルスと並行して印加するスライス用傾斜磁場パルスＧＳは，この磁場に拠るスライス選択面が，撮像面Ｓｉｍａとは異なる位置になるように設定されている，ＭＲＩ装置。」（以下，「引用発明」という。）が記載されているものと認められる。
　
２−２−２．引用例２
　原査定の拒絶の理由に引用した，本願出願日前に頒布された刊行物である，米国特許第５３３９０３５号明細書（以下「引用例２」という。）には，次の事項が記載されている。
　
（ｅ）「SUMMARY OF THE INVENTION
　The present invention is an improved method for achieving magnetization transfer contrast in NMR images produced with NMR pulse sequences. More particularly, an off resonance RF excitation pulse having a substantially rectangular envelope is applied to the region of interest being imaged to saturate short-T2 spins and enable them to transfer magnetization to long-T2 spins in the region of interest before NMR signals are acquired from the long-T2 spins. The sharp corners of the rectangular envelope may be rounded to reduce the excitation of on resonance long-T2 spins, and the RF excitation pulse may be followed by the application of a magnetic field gradient pulse which dephases any transverse magnetization that might result.
　A general object of the invention is to produce sufficient saturation of short-T2 spin species to provide the desired level of magnetization transfer contrast without significantly increasing the scan time. By using the more efficient rectangular shaped RF pulse envelope, the necessary saturation can be achieved with pulses as short as 5 milliseconds. This means that magnetization transfer contrast can be added to nearly any NMR pulse sequence without a significant increase in total scan time.」（第４欄第５行目から第２９行目。当審による仮訳（下線は当審による）：「発明の要約
　この発明は
ＮＭＲパルスシーケンスで生成されたＮＭＲ画像におけるＭＴコントラストを達成する
　この発明の一般的な目的は，
必要なＭＴコントラストのレベルが得られるように，スキャン時間を劇的に増大させることなく，短いＴ
２
スピンの十分な飽和を生成することである。より効率的な矩形のＲＦパルスを用いることで，５ミリ秒程度の短い時間で必要な飽和が達成できる
総スキャン時間の劇的な増加なしに，ＭＴコントラストを追加できる
　
（ｆ）「Referring still to FIG. 4, the NMR pulse sequence is modified according to the present invention by producing an off-resonance RF saturation pulse 30. In the preferred embodiment this is accomplished by switching the carrier frequency to a value which is off resonance by 1.2 kHz. This off-resonance carrier is modulated by a substantially rectangular envelope waveform R(t) as will be described in more detail below. The off-resonance RF pulse 30 is applied from 5 to 10 milliseconds depending on the degree of magnetization transfer contrast desired with a resulting flip angle of 500° to 2000°.
After the application of the off-resonance RF saturation pulse 30, dephasing gradient pulses 31-33 are applied along the respective z, y and x axes. These gradient pulses 31-33 quickly dephase, or spoil any transverse magnetization that is produced in the long-T2 spin species by the RF pulse 30, so that such magnetization will not contribute significantly to the NMR echo signal 25 acquired during the following pulse sequence. Before the next pulse sequence is started, the RF carrier frequency is also switched back to resonance.
　In the preferred embodiment of FIG. 4, the RF saturation pulse 30 follows the NMR signal acquisition 25, and as a result, one or more equilibration pulse sequences are performed at the beginning of the scan to properly prepare the magnetization. Such equilibration sequences are the same as that shown in FIG. 4, but no NMR signal is acquired. In the alternative, the RF saturation pulse 30 and spoiler pulses 31-33 may be placed at the beginning of each pulse sequence rather than the end. The results are virtually equivalent.」（第８欄第４７行目から第９欄第１０行目。当審による仮訳（下線は当審による）：「第４図をさらに参照すると，ＮＭＲパルスシーケンスは，本発明にしたがって，オフレゾナンスのＲＦ飽和パルス３０を生成することにより，修正される。好ましい実施例では，これは搬送波の周波数を１．２ｋＨｚだけオフレゾナンスの値に切り換えることで達成される。このオフレゾナンスの搬送波は，後で詳しく述べるように，実質的に矩形の波形Ｒ（ｔ）に変調される。
オフレゾナンスのＲＦパルス３０は
５から１０ミリ秒適用される
　
オフレゾナンスのＲＦパルス３０を適用した後で，ディフェーズする傾斜パルス３１−３３がｚ，ｙ及びｘ軸に沿って適用される。この傾斜パルス３１−３３は，ＲＦパルス３０による長いＴ
２
スピン種によって生成されるどのような横磁化も，急速にディフェーズ，あるいは「スポイル」する
　第４図に示される好適な実施例では，ＲＦ飽和パルス３０はＮＭＲ信号取得２５に引き続き，そしてその結果，一つ以上の平衡化パルスシーケンスが，適切に磁化を準備するために，スキャンの最初に行われる。そのような平衡化シーケンスは第４図に示されるものと同じであるが，ＮＭＲ信号は取得されない。その代わりに，
ＲＦ飽和パルス３０とスポイラーパルス３１−３３が，それぞれのパルスシーケンスの終わりではなく始まりに配置されても良い。結果は実質的に同じである
　
２−３．対比
　本願補正発明と引用発明とを対比する。
　引用発明における「撮像領域を規定する周波数とは異なる周波数のＭＴパルスを印加するＭＴパルス印加手段」は，摘記事項（ｃ）に「事前励起面Ｓｍｔが複数個の分割化ＭＴパルス．．．により、複数回、順次、選択励起される。これにより事前励起面Ｓｍｔ内のスピンが励起されるとともに、この励起は撮像面Ｓｉｍａに対してはoff-resonanceである」（【００７０】）と記載されていることからして，本願補正発明の「被検体の撮像領域に対してオフ・レゾナンスとなる周波数のＭＴパルスを当該被検体に印加するＭＴパルス印加手段」に相当する。
　また，引用発明の「前記ＭＴパルスを印加した後に傾斜磁場スポイラーパルスを印加するスポイラ印加手段」及び「傾斜磁場スポイラーパルスを印加した後にデータ収集シーケンスに基づいたスキャンを実行して前記撮像領域からＭＲ信号を収集する撮像手段」は，それぞれ本願補正発明の「前記ＭＴパルスを印加した後に傾斜磁場スポイラーパルスを印加するスポイラ印加手段」及び「このスポイラーパルスを印加した後に前記撮像領域からエコー信号を収集するスキャンを行うスキャン手段」に相当する。
　そして，引用発明の「パルスシーケンス情報にしたがって動作を制御するシーケンサ」は，本願補正発明の「パルスシーケンス情報に従ってシーケンス制御するシーケンサ」に相当するものであり，引用発明において「シーケンサの駆動によって，ＭＴパルスとしてのＲＦパルスと傾斜磁場スポイラとを含む事前シーケンスが，データ収集シーケンスに先立って印加され」ることは，このデータ収集シーケンスにおいて撮像用パルス列が印加されることは明らかであるから，本願補正発明において「前記シーケンサは、印加時間の短いＭＴパルスと、スポイラーパルスと、撮像用パルス列とを順次並べて形成され」ることと，「前記シーケンサは、ＭＴパルスと、スポイラーパルスと、撮像用パルス列とを順次並べて形成され」る点で共通する。また，引用発明のシーケンサのこのような動作から，引用発明におけるＭＴパルスはデータ収集シーケンスに先立って印加されるものであるから，この点は，本願補正発明の「前記ＭＴパルスは撮像用印加パルスの前に印加される」ことに相当する。
　さらに，引用発明において，「ＭＴパルスと並行して印加するスライス用傾斜磁場パルスＧＳは，この磁場に拠るスライス選択面が，撮像面Ｓｉｍａとは異なる位置になるように設定されている」ことは，本願補正発明において，「前記ＭＴパルスの印加領域は撮像領域とは異なるように構成した」ことに相当する。
　
　そうすると，本願補正発明と引用発明とは，
「被検体の撮像領域に対してオフ・レゾナンスとなる周波数のＭＴパルスを当該被検体に印加するＭＴパルス印加手段と、前記ＭＴパルスを印加した後に傾斜磁場スポイラーパルスを印加するスポイラ印加手段と、このスポイラーパルスを印加した後に前記撮像領域からエコー信号を収集するスキャンを行うスキャン手段とから、パルスシーケンス情報に従ってシーケンス制御するシーケンサを備え、
　前記シーケンサは、ＭＴパルスと、スポイラーパルスと、撮像用パルス列とを順次並べて形成され、　
　前記ＭＴパルスは撮像用印加パルスの前に印加されるとともに、前記ＭＴパルスの印加領域は撮像領域とは異なるように構成した磁気共鳴イメージング装置。」
である点で一致しており，次の点で相違する。
　
（相違点）本願補正発明では，ＭＴパルスが「印加時間の短い」ものであり，「前記ＭＴパルスの印加時間が、１０［ｍｓｅｃ］未満であ」るとされているのに対し，引用発明ではこのようなＭＴパルスについての限定がされていない点。
　
２−４．判断
　上記相違点について判断する。
　摘記事項（ｆ）によれば，引用例２には，ＮＭＲ画像におけるＭＴコントラストを達成するために，オフレゾナンスのＲＦパルス３０を，５から１０ミリ秒適用することが記載されている。このオフレゾナンスのＲＦパルス３０は，短いＴ２スピンを飽和させるものであるから，引用発明や本願補正発明のＭＴパルスに相当するものである。また，引用例２には，オフレゾナンスのＲＦパルスの波形を実質的に矩形であるとすることが記載されており，これは摘記事項（ｅ）に「より効率的な矩形のＲＦパルスを用いることで，５ミリ秒程度の短い時間で必要な飽和が達成できる」，「総スキャン時間の劇的な増加なしに，ＭＴコントラストを追加できる」と記載されるように，ＲＦパルスの印加時間を短くし，ひいては総スキャン時間を増加させないように，効率的なＲＦパルスの形状として矩形を選択したものであって，ＲＦパルスの印加時間を短くすることに付随するものである。
　ここで，一般にＭＲＩ装置において，撮像時間を短くするために，パルスシーケンスを短くすることは，周知の技術課題である。そして，このような課題が引用例１に明記されていなくとも，引用発明がそのような課題を有していることは，自明であるといえる。
　そうすると，引用例２には，上記の通り，ＭＴパルスであるＲＦパルスを５ミリ秒程度あるいは５から１０ミリ秒適用すること，そして，そのことにより総スキャン時間の劇的な増加なしに，ＭＴコントラストを追加できることが示されているのであるから，引用発明において，引用例２に示された技術的事項を採用し，ＭＴパルスの印加時間を５ミリ秒程度あるいは５から１０ミリ秒の短いものとすることは，当業者であれば容易に為し得たものであり，そのような時間として１０ミリ秒未満との時間範囲とすることも，当業者であれば容易に為し得た範囲内のものである。
　
　請求人は，平成１９年５月１４日付けの手続補正書で補正された審判請求書の請求の理由において，引用例２のＲＦパルス３０は本願補正発明のＭＴパルスに相当するものではなく，仮に相当したとしても，パルスシーケンスが大きく異なる旨，また平成２０年９月２５日付けの当審における審尋に対する平成２０年１１月２５日付けの回答書にて，引用例２は非選択的サチュレーションパルス（ＲＦパルス）を印加するものであり，引用例１のような選択的ＲＦパルスを印加するものではなく，組み合わせに無理がある旨，主張している。しかし，引用例２のＲＦパルス３０は，上記の通り，ＭＴコントラストを得るために印加されるパルスであるから，本願補正発明のＭＴパルスに相当するものであり，また，引用例２の第４図に示されるパルスシーケンスは，ＮＭＲ信号を取得するパルスシーケンスの後に，ＲＦパルス３０及びスポイラーパルス３１−３３が印加されるものであるが，摘記事項（ｆ）に「ＲＦ飽和パルス３０とスポイラーパルス３１−３３が，それぞれのパルスシーケンスの終わりではなく始まりに配置されても良い。結果は実質的に同じである」と記載されるように，引用発明や本願補正発明と同様に，ＭＴパルス，スポイラーパルス，撮像用パルス列の順に印加しても良いことが記載されており，パルスシーケンスが異なると言うことはできない。さらに，引用例２には，スライス選択をせずにＲＦパルスを印加することが示されているが，引用例１の摘記事項（ｄ）にＭＴパルスをスライス非選択的に印加することが記載されているように，ＲＦパルスを印加する際にスライス選択をするか否かは当業者であれば選択的に為し得た程度のものであり，引用例２に示された上記技術的事項である，スライス選択をせずにＲＦパルスを印加することを，スライス選択して印加するようにすることに，特段の困難性があるとは認められない。
　さらに，請求人が請求の理由で主張する，本願補正発明によるＳ／Ｎ比が向上するとの効果について，当該効果はＭＴパルスの印加時間を短くしたことによって奏されるものであり，上記の通り，引用発明に引用例２に示された技術的事項を組み合わせて得られた構成においても，ＭＴパルスの印加時間が短いものとなるのであるから，当然に奏される効果であって，本願補正発明に特有のものであるとすることはできない。
　
　そして，本願補正発明のその他の作用効果は，引用発明及び引用例２に示された技術的事項から，当業者であれば予測できる範囲のものである。
　
　以上の通り，本願補正発明は，引用発明及び引用例２に示された技術的事項に基づいて，当業者が容易に発明をすることができたものであるから，特許法２９条２項の規定により特許を受けることができない。
　
２−５．むすび
　上記のとおり，本件補正は，平成１８年改正前の特許法第１７条の２第５項で準用する同法第１２６条第５項の規定に違反するものであり，同法第１５９条第１項の規定において読み替えて準用する同法第５３条第１項の規定により却下されるべきものである。
　
３．本願発明について
３−１．本願発明
　平成１９年５月１４日付けの手続補正は上記のとおり却下されたので，本願の請求項１に係る発明（以下，「本願発明」という。）は，平成１８年１１月１０日付け手続補正書の請求項１に記載された事項により特定される，上記２−１．に記載のとおりのものである。
　そして，本願発明は，上記２．で検討した本願補正発明において，「磁気共鳴イメージング装置」についての「
パルスシーケンス情報に従ってシーケンス制御するシーケンサ
　
前記シーケンサは、印加時間の短いＭＴパルスと、スポイラーパルスと、撮像用パルス列とを順次並べて形成され
前記ＭＴパルスの印加領域は撮像領域とは異なるように構成した
前記ＭＴパルスの印加時間が、１０［ｍｓｅｃ］未満であり、前記ＭＴパルスは撮像用印加パルスの前に印加される
　
３−２．記載要件
　本願発明の記載についてみると，「ＭＴパルスの印加時間を、前記被検体内の磁化スピンの縦磁化が当該印加時間中には殆ど緩和しない程度に短く設定した」との記載により機能的に発明の構成を特定しようとしているが，このような記載では具体的な印加時間を明確に特定することができない。したがって，本願発明は明確でない。
　
３−３．引用例
　原査定の拒絶の理由に引用された引用例及びその記載事項は，上記２−２．に記載したとおりである。
　
３−４．対比・判断
　上記３−２．に示した通り，本願発明は明確でないが，本願の発明の詳細な説明の記載を参照すると，「【００５５】この収集において、最初に、印加時間の短い（例えば１．５ｍｓｅｃ）ＭＴパルスＰｍｔが印加される。これにより、励起部位の原子核スピンの縦磁化成分は図４（ａ）に示す如く、−ｚ´軸方向に反転されるが、ＭＴパルスＰｍｔの印加時間が短いため、印加時間中に縦磁化成分がｚ´軸方向の初期状態に戻る割合は小さいか又は無視できるほど小さい」，「【００５８】これを、印加時間が長いＭＴパルスを用いた従来の場合と比較して説明する。従来の場合、ＭＴパルスを印加している時間が長いので（例えば１５ｍｓｅｃ）、図４（ｂ）に模式的に示す如く、その印加途中において＋ｚ´軸方向に戻る成分が出始め、印加終了時において−ｚ´軸方向に残っている正味の縦磁化成分は、印加時間が短いＭＴパルスのとき（図４（ａ）参照）に比べて少なくなる」との記載がある。これらの記載に基づくと，「被検体内の磁化スピンの縦磁化が当該印加時間中には殆ど緩和しない程度」の時間とは，１５ｍｓｅｃでは長すぎる時間であり，１．５ｍｓｅｃでは十分に短い時間であると認められる。
　一方，上記２−４．に示した通り，ＭＴパルスの印加時間を１０ミリ秒未満とすることは，当業者であれば引用発明及び引用例２に示された技術的事項に基づいて容易に為し得たものであり，一般にＭＲＩ装置において，撮像時間を短くするために，パルスシーケンスを短くすることは，周知の技術課題であることからすると，ＭＴパルスの印加時間をさらに短くすることも，当業者であれば容易に為し得たものである。
　そうすると，この点の判断に併せ，本願発明の構成要件をすべて含み，さらに他の構成要件を付加したものに相当する本願補正発明が，上記２−４．に述べたとおり，引用発明及び引用例２に示された技術的事項に基づいて，当業者が容易に発明をすることができたものであるから，本願発明も，引用発明及び引用例２に示された技術的事項に基づいて，当業者が容易に発明をすることができたものである。
　
３−５．むすび
　以上のとおり，本願は，特許請求の範囲の記載が特許法第３６条第６項第２号に規定する要件を満たすものではなく，また本願発明が明確であったとしても，本願発明は，引用発明及び引用例２に示された技術的事項に基づいて，当業者が容易に発明をすることができたものであるから，特許法第２９条２項の規定により特許を受けることができない。
　
　したがって，その余の請求項に係る発明について審理するまでもなく，本件出願は拒絶されるべきものである。
　
　よって，結論のとおり審決する。